(57)【要約】【課題】  受信精度を確保すると共に、アンテナユニットをケースの内側に近づけて、機器全体の小型化を図るようにする。【解決手段】  内周部にアンテナ収納部４が形成された合成樹脂製の腕時計ケース１の下面に取り付けられた裏蓋６が、腕時計ケース１の下面全体に対応する樹脂部１０と、腕時計ケース１のアンテナ収納部４に収納されたアンテナユニット５に対応する部分を除いて樹脂部１０に一体的に設けられた金属部１１とを備えている。従って、裏蓋６の金属部１１がアンテナユニット５の下側に対応する部分に存在しないため、腕時計ケース１のアンテナ収納部４にアンテナユニット５を収納しても、腕時計ケース１の下側からの電波を取り込むことができる。これにより、アンテナユニット５の受信精度を確保できると共に、アンテナユニット５を腕時計ケース１の内側に近づけることができるので、機器全体の小型化を図ることができる。【選択図】        図２
2006284235.tif 000002
【特許請求の範囲】
【請求項１】
腕に着脱可能に装着される合成樹脂製のケースと、このケースの内周部に形成されたアンテナ収納部に収納されたアンテナユニットと、前記ケースの下面に取り付けられた裏蓋とを備え、
前記裏蓋は、前記ケースの下面全体に対応する樹脂部と、前記アンテナユニットに対応する部分を除いて前記樹脂部に一体的に設けられた金属部とを備えていることを特徴とする腕装着型の電子機器。
【請求項２】
前記アンテナユニットと前記裏蓋の前記金属部とは、前記アンテナユニットの下面における内端部と前記金属部の外端部とを結ぶ直線が前記アンテナユニットの下面に対して交差する角度をθとしたとき、
θ≧３０°
の関係に設定されていることを特徴とする請求項１に記載の腕装着型の電子機器。
【請求項３】
前記裏蓋の前記金属部には、開口部が前記アンテナユニットに対応して設けられていることを特徴とする請求項１に記載の腕装着型の電子機器。
【請求項４】
前記金属部は、インサート成形によって前記樹脂部に一体に形成されていることを特徴とする請求項１〜３のいずれかに記載の腕装着型の電子機器。
【請求項５】
前記金属部は、前記樹脂部に嵌め込まれて一体化されていることを特徴とする請求項１〜３のいずれかに記載の腕装着型の電子機器。
【請求項６】
前記アンテナユニットは、前記ケースの前記アンテナ収納部内に位置決めするための位置決め部を備えていることを特徴とする請求項１〜５のいずれかに記載の腕装着型の電子機器。
【請求項７】
前記樹脂部には、前記アンテナユニットの下部を位置決めして押えるアンテナ押え部が形成されていることを特徴とする請求項１〜５のいずれかに記載の腕装着型の電子機器。
【発明の詳細な説明】
【技術分野】
【０００１】
この発明は、電子腕時計などの腕装着型の電子機器に関し、更に詳しくはＧＰＳ（グローバル・ポジショニング・システム）用のアンテナユニットを備えた腕装着型の電子機器に関する。
【背景技術】
【０００２】
例えば、電子腕時計においては、アンテナユニットを内蔵した電波時計がある。この種の電子腕時計は、特許文献１に記載されているように、合成樹脂製の腕時計ケースの外周部にバンド取付部を外側に突出させて設け、この突出したバンド取付部内にアンテナ収納部を設け、このアンテナ収納部にアンテナユニットを収納し、このアンテナユニットの上側を合成樹脂製のカバー部材で覆った構成になっている。
【特許文献１】特開２００２−９８７８０号
【発明の開示】
【発明が解決しようとする課題】
【０００３】
しかしながら、このような従来の電子腕時計では、腕時計ケースの下面に金属製の裏蓋が取り付けられているので、この裏蓋の外周部よりもアンテナユニットを腕時計ケースの外側に突出させた状態で配置しなければ、腕時計ケースの下方からの電波をアンテナユニットで受信することができない。このため、バンド取付部を腕時計ケースの外側に大きく突出させて、アンテナユニットを収納するアンテナ収納部を裏蓋の外周部よりも外側に形成しなければならず、腕時計全体が大型化するという問題が生じる。
【０００４】
この発明が解決しようとする課題は、受信精度を確保すると共に、アンテナユニットをケースの内側に近づけて、機器全体の小型化を図ることができる腕装着型の電子機器を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１０に示すように、腕に着脱可能に装着される合成樹脂製のケース（腕時計ケース１）と、このケースの内周部に形成されたアンテナ収納部（４）に収納されたアンテナユニット（５）と、前記ケースの下面に取り付けられた裏蓋（６、１５、２０）とを備え、
前記裏蓋は、前記ケースの下面全体に対応する樹脂部（１０、１６、２２）と、前記アンテナユニットに対応する部分を除いて前記樹脂部に一体的に設けられた金属部（１１、１７、２３）とを備えていることを特徴とする腕装着型の電子機器である。
【０００７】
請求項２に記載の発明は、図１〜図４に示すように、前記アンテナユニット（５）と前記裏蓋（６）の前記金属部（１１）とが、前記アンテナユニットの下面における内端部と前記金属部の外端部とを結ぶ直線（Ｓ）が前記アンテナユニットの下面に対して交差する角度をθとしたとき、
θ≧３０°
の関係に設定されていることを特徴とする請求項１に記載の腕装着型の電子機器である。
【０００８】
請求項３に記載の発明は、図５〜図１０に示すように、前記裏蓋（１５）の前記金属部（１７）に、開口部（１８）が前記アンテナユニット（５）に対応して設けられていることを特徴とする請求項１に記載の腕装着型の電子機器である。
【０００９】
請求項４に記載の発明は、図１〜図３、図５〜図７および図１０に示すように、前記金属部（１１、１７、２３）がインサート成形によって前記樹脂部（１０、１６、２２）に一体に形成されていることを特徴とする請求項１〜３のいずれかに記載の腕装着型の電子機器である。
【００１０】
請求項５に記載の発明は、図４、図８および図９に示すように、前記金属部（１１、１７）が前記樹脂部（１０、１６）に嵌め込まれて一体化されていることを特徴とする請求項１〜３のいずれかに記載の腕装着型の電子機器である。
【００１１】
請求項６に記載の発明は、図１〜図９に示すように、前記アンテナユニット（５）が、前記ケース（腕時計ケース１）の前記アンテナ収納部（４）内に位置決めするための位置決め部（位置決め突起部８ａ）を備えていることを特徴とする請求項１〜５のいずれかに記載の腕装着型の電子機器。
【００１２】
請求項７に記載の発明は、図１０に示すように、前記樹脂部（２２）に、前記アンテナユニット（５）の下部を位置決めして押えるアンテナ押え部（２１）が形成されていることを特徴とする請求項１〜５のいずれかに記載の腕装着型の電子機器である。
【発明の効果】
【００１３】
請求項１に記載の発明によれば、内周部にアンテナ収納部が形成された合成樹脂製のケースの下面に取り付けられた裏蓋が、ケースの下面全体に対応する樹脂部と、ケースのアンテナ収納部に収納されたアンテナユニットに対応する部分を除いて樹脂部に一体的に設けられた金属部とを備えた構成であるから、裏蓋の金属部がアンテナユニットの下側に対応する部分に存在しない。このため、ケースの内周部に形成されたアンテナ収納部にアンテナユニットを収納しても、アンテナユニットが裏蓋の金属部による影響を受けずに、ケースの下側からの電波を良好に受信することができる。これにより、アンテナユニットの受信精度を確保することができると共に、アンテナユニットをケースの内側に近づけて配置することができるので、機器全体の小型化を図ることができる。
【００１４】
請求項２に記載の発明によれば、アンテナユニットと裏蓋の金属部とは、アンテナユニットの下面における内端部と金属部の外端部とを結ぶ直線がアンテナユニットの下面に対して交差する角度をθとしたとき、θ≧３０°の関係に設定されていることにより、ケースの下方からの電波を受信する際、裏蓋の金属部による影響を最小限に抑えることができるので、裏蓋の斜め下方からの電波をアンテナユニットで確実に且つ良好に受信することができ、これによりアンテナユニットの受信精度を確保することができる。
【００１５】
請求項３に記載の発明によれば、裏蓋の金属部に開口部がアンテナユニットに対応して設けられていることにより、金属部の外周端部がアンテナユニットよりも外側に配置されていても、この金属部に形成された開口部を通してケースの下側からの電波をアンテナユニットで受信することができ、これによってもアンテナユニットの受信精度を確保することができる。
【００１６】
請求項４に記載の発明によれば、裏蓋の金属部がインサート成形によって樹脂部に一体に形成されていることにより、裏蓋が樹脂部と金属部とで構成されていても、裏蓋を容易に製作することができると共に、部品点数が増えず、組立作業も煩雑にならないため、低価格なものを得ることができる。
【００１７】
請求項５に記載の発明によれば、金属部が樹脂部に嵌め込まれて一体化されていることにより、裏蓋の樹脂部と金属部とが別々に形成されていても、樹脂部に金属部を嵌め込むだけで、簡単に樹脂部と金属部とを一体化することができ、これによっても組立作業が煩雑にならず、低価格なものを得ることができる。
【００１８】
請求項６に記載の発明によれば、アンテナユニットが、ケースのアンテナ収納部内に位置決めするための位置決め部を備えていることにより、この位置決め部によってアンテナユニットをアンテナ収納部内に浮かした状態で位置決めすることができるので、アンテナユニットの周囲に誘電率の最も低い空気空間を設けることができ、これによりアンテナユニットの受信精度を更に高めることができるほか、アンテナユニットがアンテナ収納部内に浮いていることにより、外部からの衝撃が直接アンテナユニットに加わることがないので、耐衝撃性の高いものを得ることができる。
【００１９】
請求項７に記載の発明によれば、樹脂部にアンテナユニットの下部を位置決めして押えるアンテナ押え部が形成されていることにより、ケースの下面に裏蓋を取り付けるときに、アンテナ押え部によってアンテナユニットを変形させることなく正確に且つ良好に組み付けることができるほか、特にアンテナ押え部によってアンテナユニットをケースのアンテナ収納部内に浮かした状態で組み込むことができるので、請求項６に記載の発明と同様、アンテナユニットの受信精度を更に高めることができると共に、外部からの衝撃が直接アンテナユニットに加わらないため、耐衝撃性の高いものを得ることができる。
【発明を実施するための最良の形態】
【００２０】
（実施形態１）
以下、図１〜図３を参照して、この発明を電子腕時計に適用した実施形態１について説明する。
図１はこの発明を適用した電子腕時計の要部を示した斜視図、図２はそのＡ−Ａ矢視における拡大断面図、図３は図２のアンテナユニットを示した斜視図である。
この電子腕時計は、図１に示すように、合成樹脂製の腕時計ケース１を備えている。この腕時計ケース１は、１２時側と６時側とにバンド取付部１ａが設けられ、このバンド取付部１ａに取り付けられた時計バンド（図示せず）によって腕に着脱可能に取り付けられるように構成されている。
【００２１】
この腕時計ケース１の上部には、図２に示すように、時計ガラス２が装着されている。また、この腕時計ケース１の内部には、時計モジュール３が収納されていると共に、１２時側に位置する腕時計ケース１の内周面（図２では右側に位置する内周面）にアンテナ収納部４が形成され、このアンテナ収納部４内にＧＰＳ（グローバル・ポジショニング・システム）用のアンテナユニット５が収納されている。さらに、この腕時計ケース１の下部には、裏蓋６が防水リング７を介して取り付けられている。
【００２２】
この場合、時計モジュール３は、時計機能およびＧＰＳに必要な各種の電子部品を備え、時刻情報を表示するほか、アンテナユニット５で受信した電波情報に基づいてＧＰＳ情報をも表示するように構成されている。アンテナユニット５は、超小型のチップ誘電体アンテナであり、図２および図３に示すように、ＡＢＳ樹脂などの合成樹脂製の誘電体からなる保持部材８と、この保持部材８の外表面に設けられた電極部９とを備え、ユニット全体がチップ形状に形成されている。すなわち、保持部材８は、図２に示すように、断面形状が長方形の上側角部に傾斜面を形成したほぼ台形状に形成されている。
【００２３】
また、この保持部材８は、図３に示すように、その両側面に位置決め突起部８ａが切欠け部８ｂによって設けられ、この位置決め突起部８ａが図２に示すようにアンテナ収納部４の内面に設けられた取付凹部４ａに挿入することにより、アンテナ収納部４内に浮いた状態で取り付けられるように構成されている。電極部９は、銅系の金属薄板からなり、保持部材８の上面および傾斜面に亘って設けられていると共に、所定間隔を隔てた保持部材８の下面にも設けられ、これにより腕時計ケース１の外部、つまり腕時計ケース１の上方、側方、および下方における外部からの電波を受信するように構成されている。
【００２４】
一方、裏蓋６は、図２に示すように、腕時計ケース１の下面全体に対応する樹脂部１０と、アンテナユニット５に対応する部分を除いて樹脂部１０に一体的に設けられた金属部１１とを備えている。樹脂部１０は、図２に示すように、内側（図２では上側）に位置して腕時計ケース１の下面に圧接することにより、防水リング７を腕時計ケース１に押し付けて防水性を図るように構成されている。このため、この樹脂部１０は、硬質樹脂、例えばガラス繊維入りの強化樹脂で形成されていることが望ましい。また、金属部１１は、腕などの人体からの静電気を防ぐためのシールド機能を有するものであり、インサート成形によって樹脂部１０に一体に形成されている。
【００２５】
この場合、裏蓋６の金属部１１とアンテナユニット５とは、アンテナユニット５の下面における内端部と金属部１１の外端部とを結ぶ直線Ｓがアンテナユニット５の下面に対して交差する角度をθとしたとき、
θ≧３０°
の関係に設定されており、好ましくはその角度θが４５°〜９０°の範囲で、特に６０°前後であることが望ましい。これにより、裏蓋６は、アンテナユニット５の下側に位置する金属部１１による電波障害を極力避けるように構成されている。
【００２６】
このような電子腕時計によれば、合成樹脂製の腕時計ケース１の内周部にアンテナ収納部４を形成し、このアンテナ収納部４内にチップ形状のアンテナユニット５を収納したので、腕時計ケース１の上方および側方における外部からの電波を良好に受信することができるほか、特に腕時計ケース１の下面に取り付けられた裏蓋６が、腕時計ケース１の下面全体に対応する樹脂部１０と、腕時計ケース１のアンテナ収納部４に収納されたアンテナユニット５に対応する部分を除いて樹脂部１０に一体的に設けられた金属部１１とを備えた構成であるから、腕などの人体からの静電気を防ぐためのシールド機能を有する裏蓋６の金属部１１がアンテナユニット５の下側に対応する部分にほとんど存在することがない。
【００２７】
このため、腕時計ケース１の内周部に形成されたアンテナ収納部４にアンテナユニット５を収納しても、アンテナユニット５が裏蓋６の金属部１１による影響を受けずに、腕時計ケース１の下側からの電波を受信することができる。これにより、アンテナユニット５の受信精度を高めることができると共に、アンテナユニット５を腕時計ケース１の内側に近づけて配置することができるので、腕時計全体の小型化をも図ることができる。
【００２８】
この場合、特にアンテナユニット５と裏蓋６の金属部１１とは、アンテナユニット５の下面における内端部と金属部１１の外端部とを結ぶ直線Ｓがアンテナユニット５の下面に対して交差する角度をθとしたとき、θ≧３０°の関係に設定されており、好ましくはその角度θが４５°〜９０°の範囲で、特に６０°前後であることにより、腕時計ケース１の下方から電波を受信する際、裏蓋６の金属部１１による影響を最小限に抑えることができ、このため裏蓋６の斜め下方からの電波をアンテナユニット５で確実に且つ良好に受信することができる。
【００２９】
また、裏蓋６は、腕時計ケース１の下面に圧接する樹脂部１０が、ガラス繊維入りの強化樹脂などの硬質樹脂で形成されているので、防水リング７を腕時計ケース１に押し付けて防水性を図ることができるほか、特に金属部１１がインサート成形によって樹脂部１０に一体に形成されているので、裏蓋６が樹脂部１０と金属部１１とで構成されていても、裏蓋６を容易に製作することができると共に、部品点数が増えず、組立作業も煩雑にならないため、低価格なものを得ることができる。
【００３０】
さらに、アンテナユニット５は、電極部９が設けられた合成樹脂製の誘電体からなる保持部材８に位置決め突起部８ａが設けられ、この位置決め突起部８ａがアンテナ収納部４に設けられた取付凹部４ａに挿入され、これによりアンテナ収納部４内に浮いた状態で配置されているので、アンテナユニット５の周囲に誘電率の最も低い空気空間を設けることができ、これによってもアンテナユニット５の受信精度を向上させることができると共に、アンテナユニット５がアンテナ収納部４内に浮いていることにより、外部からの衝撃が直接アンテナユニット５に加わることがないので、耐衝撃性の高いものを得ることができる。
【００３１】
なお、上記実施形態１では、裏蓋６の金属部１１を樹脂部１０にインサート成形によって一体に形成した場合について述べたが、これに限らず、例えば図４（ａ）および図４（ｂ）に示す変形例のように、裏蓋６の樹脂部１０と金属部１１とを別々に形成し、樹脂部１０に金属部１１を嵌め込んで一体化するように構成しても良い。このように構成すれば、裏蓋６の樹脂部１０と金属部１１とを別々に形成しても、樹脂部１０に金属部１１を嵌め込むだけで、簡単に樹脂部１０と金属部１１とを一体化することができるので、組立作業が煩雑にならず、低価格なものを得ることができる。
【００３２】
（実施形態２）
次に、図５〜図７を参照して、この発明を電子腕時計に適用した実施形態２について説明する。なお、図１〜図３に示された実施形態１と同一部分には同一符号を付して説明する。
この電子腕時計は、裏蓋１５が実施形態１と異なる構成で、これ以外は実施形態１とほぼ同じ構成になっている。
【００３３】
すなわち、裏蓋１５は、腕時計ケース１の下面全体に対応する樹脂部１６と、この樹脂部１６に一体的に設けられた金属部１７とを備えている。この場合、金属部１７は、実施形態１と同様、腕などの人体からの静電気を防ぐためのシールド機能を有するものであり、この金属部１７には、図５および図７に示すように、開口部１８がアンテナユニット５の下側に対応して設けられている。これにより、裏蓋１５は、図５および図６に示すように、金属部１７をインサート成形するときに、金属部１７における開口部１８側の端部を樹脂部１６で包み込んだ状態で、金属部１７を樹脂部１６に一体に形成した構成になっている。
【００３４】
このような電子腕時計によれば、実施形態１と同様、アンテナユニット５によって腕時計ケース１の上方および側方における外部からの電波を良好に受信することができるほか、特に裏蓋１５の金属部１７に開口部１８がアンテナユニット５に対応して設けられているので、金属部１７の外周端部がアンテナユニット５よりも外側に配置されていても、金属部１７に形成された開口部１８を通して腕時計ケース１の下側からの電波をアンテナユニット５で受信することができる。
【００３５】
このため、アンテナユニット５の受信精度を確保することができると共に、アンテナユニット５を腕時計ケース１の内側に近づけて配置することができるので、腕時計全体の小型化を図ることができる。また、この場合にも、裏蓋１５の金属部１７がインサート成形によって樹脂部１６に一体に形成されているので、実施形態１と同様、裏蓋１５が樹脂部１６と金属部１７とで構成されていても、裏蓋１５を容易に製作することができると共に、部品点数が増えず、組立作業も煩雑にならないため、低価格なものを得ることができる。
【００３６】
なお、上記実施形態２では、裏蓋１５の金属部１７を樹脂部１６にインサート成形によって一体に形成した場合について述べたが、これに限らず、例えば図８および図９に示す変形例のように、裏蓋１５の樹脂部１６に金属部１７を嵌め込んで一体化するように構成しても良い。この場合には、樹脂部１６の下面に嵌合突出部１６ａを形成し、この嵌合突出部１６ａを金属部１７の開口部１８に嵌着させるように構成すれば良い。
【００３７】
このように構成すれば、裏蓋１５の樹脂部１６と金属部１７とを別々に形成しても、図９（ａ）および図９（ｂ）に示すように、樹脂部１６の嵌合突出部１６ａを金属部１７の開口部１８に嵌着させて、樹脂部１６に金属部１７を嵌め込むだけで、簡単に樹脂部１６と金属部１７とを一体化することができるので、実施形態１の変形例と同様、組立作業が煩雑にならず、低価格なものを得ることができる。
【００３８】
（実施形態３）
次に、図１０を参照して、この発明を電子腕時計に適用した実施形態３について説明する。この場合には、図５〜図７に示された実施形態２と同一部分に同一符号を付して説明する。
この電子腕時計は、裏蓋２０にアンテナユニット５を位置決めして押えるアンテナ押え部２１を設けた構成で、これ以外は実施形態２とほぼ同じ構成になっている。この裏蓋２０は、実施形態２と同様、腕時計ケース１の下面全体に対応する樹脂部２２と、この樹脂部２２にインサート成形によって一体に形成された金属部２３とを備えている。
【００３９】
この場合にも、金属部２３には、開口部２４がアンテナユニット５の下側に対応して設けられている。樹脂部２２は、実施形態２と同様、腕などの人体からの静電気を防ぐための金属部２３をインサート成形するときに、金属部２３の開口部２４側の端部を包み込んだ状態で、金属部２３と一体に形成されている。また、この樹脂部２２の上面には、アンテナ押え部２１が一体に形成されている。このアンテナ押え部２１は、図１０に示すように、アンテナユニット５を載置する台座状に一段高く形成され、腕時計ケース１の下面に形成された台座凹部１ｂ内に配置されるように構成されている。
【００４０】
ところで、アンテナ押え部２１上に配置されたアンテナユニット５は、図１０に示すように、合成樹脂製の保持部材８の下面に位置決めボス２５が設けられ、この位置決めボス２５がアンテナ押え部２１に設けられた位置決め凹部２６に挿入して位置決めされるように構成されている。また、このアンテナユニット５は、保持部材８の上面にも位置決めボス２７が設けられ、この位置決めボス２７が腕時計ケース１の内面つまりアンテナ収納部４の内面に設けられた位置決め凹部２８に挿入して位置決めされるように構成されている。
【００４１】
このような電子腕時計によれば、実施形態２と同様の作用効果があるほか、特に裏蓋２０の樹脂部２２にアンテナユニット５を位置決めして押えるアンテナ押え部２１が形成されているので、腕時計ケース１の下面に裏蓋２０を取り付けるときに、アンテナ押え部２１によってアンテナユニット５を変形させることなく正確にアンテナ収納部４内に組み付けることができる。
【００４２】
すなわち、このときには、アンテナ部９の保持部材８の下面に設けられた位置決めボス２５をアンテナ押え部２１に設けられた位置決め凹部２６に挿入して位置決めすると共に、保持部材８の上面に設けられた位置決めボス２７を腕時計ケース１の内面に設けられた位置決め凹部２８に挿入して位置決めすることにより、アンテナ押え部２１によってアンテナユニット５をアンテナ収納部４内に正確に組み込むことができると共に、アンテナユニット５を腕時計ケース１のアンテナ収納部４内に浮かした状態で組み付けることができる。
【００４３】
このため、このアンテナユニット５においても、実施形態１と同様、アンテナユニット５の周囲に誘電率の最も低い空気空間を設けることができ、これによってもアンテナユニット５の受信精度を向上させることができるほか、アンテナユニット５がアンテナ収納部４内に浮いていることにより、外部からの衝撃が直接アンテナユニット５に加わることがないので、耐衝撃性の高いものを得ることができる。
【００４４】
なお、上記実施形態１〜３およびその各変形例では、電子腕時計に適用した場合について述べたが、必ずしも電子腕時計である必要はなく、腕に着脱することができる腕装着型の電子機器に広く適用することができる。
【図面の簡単な説明】
【００４５】
【図１】この発明を適用した電子腕時計の要部を示した斜視図である。（実施形態１）
【図２】図１のＡ−Ａ矢視における拡大断面図である。
【図３】図２のアンテナユニットを示した斜視図である。
【図４】実施形態１の裏蓋の変形例を示し、（ａ）はその裏蓋の樹脂部と金属部とを分解した要部の拡大断面図、（ｂ）は樹脂部に金属部を嵌め込んだ状態を示した要部の拡大断面図である。
【図５】この発明を適用した電子腕時計の要部を示した拡大断面図である。（実施形態２）
【図６】図５の裏蓋を表裏反転させて示した斜視図である。
【図７】図６の裏蓋の金属部のみを示した斜視図である。
【図８】実施形態２の電子腕時計の変形例を示した要部の拡大断面図である。
【図９】図８の裏蓋を示し、（ａ）はその裏蓋の樹脂部と金属部とを分解した要部の拡大断面図、（ｂ）は樹脂部に金属部を嵌め込んだ状態を示した要部の拡大断面図である。
【図１０】この発明を適用した電子腕時計の要部を示した拡大断面図である。（実施形態３）
【符号の説明】
【００４６】
１  腕時計ケース
２  時計ガラス
３  時計モジュール
４  アンテナ収納部
５  アンテナユニット
６、１５、２０  裏蓋
８  保持部材
８ａ  位置決め突起部
９  電極部
１０、１６、２２  樹脂部
１１、１７、２３  金属部
１８、２４  開口部
２１  アンテナ押え部
【図１】
2006284235.tif 000003
【図２】
2006284235.tif 000004
【図３】
2006284235.tif 000005
【図４】
2006284235.tif 000006
【図５】
2006284235.tif 000007
【図６】
2006284235.tif 000008
【図７】
2006284235.tif 000009
【図８】
2006284235.tif 000010
【図９】
2006284235.tif 000011
【図１０】
2006284235.tif 000012